(57)【特許請求の範囲】
【請求項１】
端末装置を制御する制御プログラムおよび制御データからなる制御情報を記憶し、この制御情報を電気信号の印加に応じて書換え可能な読出し専用メモリのデータ書換え装置において、
種々の制御処理を行なうＭＰＵと、データ書込みおよび読出しが可能なＲＡＭと、前記端末装置との接続を行なう接続コネクタと、ＲＯＭが着脱可能な少なくとも１個のＲＯＭソケットと、ＩＣメモリカードが着脱可能な少なくとも１個のＩＣカードコネクタと、パーソナルコンピュータと接続可能な通信コネクタとを、互いにバスライン接続するとともに、前記読出し専用メモリの書換用データが記憶された書換え元として、前記ＲＯＭソケットに装着されたＲＯＭ、前記ＩＣカードコネクタに装着されたＩＣメモリカード、および前記通信コネクタに装着されたパーソナルコンピュータのいずれかから選択する書換え元選択手段と、前記選択された書換え元に記憶された書換用データを前記読出し専用メモリに書込む書換え制御手段と、前記読出し専用メモリのデータ書換えを実行する前に、この読出し専用メモリ内の全記憶データを前記ＲＡＭ、ＩＣカードおよびパーソナルコンピュータの少なくとも一つに格納するデータ保護手段とを備えたことを特徴とする読出し専用メモリのデータ書換え装置。
【発明の詳細な説明】
【０００１】
【発明の属する技術分野】
本発明は、電気信号の印加に応じて書換え可能な読出し専用メモリのデータ書換え装置に関する。
【０００２】
【従来の技術】
従来、例えば特開平２−１３０７９９号公報に記載されているように、ＥＥＰＲＯＭなどの読出し専用メモリを備える端末装置にケーブルを介して接続可能なコネクタと、このコネクタとバスライン接続されるＲＯＭソケットと、このＲＯＭソケットに着脱可能に接続され、読出し専用メモリを書換える書換え用データがあらかじめ記憶されるＲＯＭとを備えた読出し専用メモリのデータ書換え装置が提案されている。
【０００３】
この従来のデータ書換え装置では、端末装置とケーブルを介してコネクタを接続し、ＲＯＭにあらかじめ記憶される書換え用データをＲＯＭソケット、コネクタおよびケーブルを介して読出し専用メモリへ伝送することにより、この読出し専用メモリに記憶されるデータを書換えるようになっている。
【０００４】
また、前記の読出し専用メモリ内のデータは、通常プログラム型式とプログラムバージョン毎に管理が行なわれ、そのマスタデータはＲＯＭまたはフロッピディスクに格納された状態で所定の管理部署に保管されており、読出し専用メモリ内のデータ書換えを行なう際、例えばフロッピディスクに格納されるマスタデータをＲＯＭに複写して、このＲＯＭを前記のデータ書換え作業を担当する保全部署に送付するようになっている。
【０００５】
【発明が解決しようとする課題】
ところで、上述した従来のデータ書換え装置では、ＲＯＭソケットにＲＯＭを着脱するとき、直接手で触れて静電気によりＲＯＭに記憶されるデータを破壊したり、ＲＯＭのピンを折損する懸念があるとともに、ＲＯＭを間違った向きでＲＯＭソケットに装着した場合もＲＯＭに記憶されるデータを破壊する懸念がある。このため、ＲＯＭの取扱いに細心の注意が必要であり、読出し専用メモリを備える端末装置が据付られた現場では作業環境が悪いことが多く、したがって、データ書換え作業を行なうには上記のＲＯＭが使いにくいという作業性の問題が顕著である。
【０００６】
また、上述したようにＲＯＭのピンが折損したりＲＯＭ内のデータが破壊した場合、データ書換え作業を担当する保全部署は、マスタデータを管理する管理部署にＲＯＭの再送付を依頼する必要があり、ＲＯＭの入手までに時間が掛るため、データ書換え作業計画が遅延するという管理上の問題もある。
【０００７】
また特に、対象となるプログラム型式あるいはプログラムバージョンと異なるデータが格納されるＲＯＭで読出し専用メモリを書換えた場合、すなわち読出し専用メモリの書換え用データを間違えた場合、この読出し専用メモリのデータを修復するには、対象となるプログラム型式およびバージョンのデータが格納される正規のＲＯＭに取替えて再び読出し専用メモリを書換える必要があり、正規のＲＯＭが手元にないときには、保全部署へ探しに戻ったりするために無駄な時間を要し、データ書換え作業がかなり遅延するという問題がある。
【０００９】
本発明はこのような従来技術における実情に鑑みてなされたもので、その第１の目的は、読出し専用メモリを備えた端末装置の据付現場でデータ書換えを行なう際の作業性を向上させることのできる読出し専用メモリのデータ書換え装置を提供することにある。
【００１０】
また、その第２の目的は、読出し専用メモリに間違ったデータを書換えた場合、データの修復を短時間で行なうことのできる読出し専用メモリのデータ書換え装置を提供することにある。
【００１２】
【課題を解決するための手段】
上記目的を達成するため、本発明の請求項１に係る発明は、端末装置を制御する制御プログラムおよび制御データからなる制御情報を記憶し、この制御情報を電気信号の印加に応じて書換え可能な読出し専用メモリのデータ書換え装置において、種々の制御処理を行なうＭＰＵと、データ書込みおよび読出しが可能なＲＡＭと、前記端末装置との接続を行なう接続コネクタと、ＲＯＭが着脱可能な少なくとも１個のＲＯＭソケットと、ＩＣメモリカードが着脱可能な少なくとも１個のＩＣカードコネクタと、パーソナルコンピュータと接続可能な通信コネクタとを、互いにバスライン接続するとともに、前記読出し専用メモリの書換用データが記憶された書換え元として、前記ＲＯＭソケットに装着されたＲＯＭ、前記ＩＣカードコネクタに装着されたＩＣメモリカード、および前記通信コネクタに装着されたパーソナルコンピュータのいずれかから選択する書換え元選択手段と、前記選択された書換え元に記憶された書換用データを前記読出し専用メモリに書込む書換え制御手段と、前記読出し専用メモリのデータ書換えを実行する前に、この読出し専用メモリ内の全記憶データを前記ＲＡＭ、ＩＣカードおよびパーソナルコンピュータの少なくとも一つに格納するデータ保護手段とを備えた構成にしてある。
【００１３】
このように構成した本発明の請求項１に係る発明では、書換え元選択手段により、読出し専用メモリの書換え用データが記憶された書換え元としてＲＯＭ、ＩＣメモリカードおよびパーソナルコンピュータのいずれかから選択した後、作業者はこの表示内容を確認して書換え制御手段の制御によりデータ書換えを実行させる。これによって、書換え用データが記憶された書換え元としてＲＯＭ、パーソナルコンピュータおよびＩＣメモリカードのうちから選択することにより、当該書換え作業を行なう作業者の使い易いものや空いているものを用いることができるため、読出し専用メモリを備えた端末装置の据付現場でデータ書換えを行なう際の作業性を向上できる。
【００１５】
また、万一、間違ったデータを読出し専用メモリに書込んだ場合、この読出し専用メモリのデータ書換えを行なう前に格納したデータをＲＡＭ、ＩＣメモリカードおよびパーソナルコンピュータのいずれかから読出すことにより、読出し専用メモリのデータ修復を短時間で行なうことができる。
【００１８】
【発明の実施の形態】
以下、本発明の読出し専用メモリのデータ書換え装置の実施の形態を図に基づいて説明する。
図１は本発明の一実施形態に係る読出し専用メモリのデータ書換え装置を示すブロック図、図２は本実施形態のデータ書換え装置の正面図、図３は本実施形態のデータ書換え装置に備えられるＩＣカードアダプタの説明図、図４は本実施形態のデータ書換え装置の処理手順の一部を示すフローチャート、図５は本実施形態のデータ書換え装置の処理手順の残り部分を示すフローチャートである。なお、図４のＡ部と図５のＡ部とが連続している。
【００１９】
図１に示す本実施形態のデータ書換え装置１は、端末装置、例えば図示しないエレベータの異常を検出する異常検出装置２と着脱可能に接続されている。この異常検出装置２は、異常検出装置２を制御する制御プログラムおよび制御データからなる制御情報を記憶し、この制御情報を電気信号の印加に応じて書換え可能な読出し専用メモリ、例えばＥＥＰＲＯＭ２Ｂと、このＥＥＰＲＯＭ２Ｂから制御情報を読出して制御処理を行なうＭＰＵ２Ａと、これらのＭＰＵ２ＡおよびＥＥＰＲＯＭ２Ｂとバスライン２Ｉ、２Ｊを介して接続される接続コネクタ２Ｃとを有しており、この異常検出装置２は、電源コネクタ２Ｄを介して電源５に接続されている。
【００２０】
そして、本実施形態のデータ書換え装置１は、種々の制御処理を行なうＭＰＵ１Ａと、データ書込みおよび読出しが可能なＲＡＭ１Ｂと、内蔵型のＲＯＭ１Ｃとを有し、これらのＭＰＵ１Ａ、ＲＡＭ１ＢおよびＲＯＭ１Ｃは、バスライン１Ｉ、１Ｊを介して、Ｉ／Ｏポート１Ｄ、１Ｅ、通信ポート１Ｆ、３個のＲＯＭソケット１Ｇ、および２個のＩＣカードコネクタ１Ｈと接続されている。
【００２１】
通信ポート１Ｆには、通信コネクタ１Ｋを介して携帯用パーソナルコンピュータ３が接続可能であり、このパーソナルコンピュータ３にフロッピディスク３Ａを装着した状態で、このフロッピディスク３Ａに記憶されているプログラムやデータをＲＯＭ１ＣやＥＥＰＲＯＭ２Ｂに取込むことが可能であるとともに、ＲＡＭ１Ｂ、ＲＯＭ１ＣやＥＥＰＲＯＭ２Ｂに記憶されているプログラムやデータをフロッピディスク３Ａに格納することも可能である。
【００２２】
Ｉ／Ｏポート１Ｄには、７セグメント３桁のＬＥＤ１Ｌと、５個の押釦１Ｍ１〜１Ｍ５からなるスイッチ群１Ｍと、８個のディップスイッチ１Ｎ１〜１Ｎ８からなる他のスイッチ群１Ｎと、ブザーＢとが接続されている。他のＩ／Ｏポート１Ｅには、異常検出装置２の接続コネクタ２Ｃと図示しないケーブルを介して接続可能な接続コネクタ１Ｐが接続され、この接続コネクタ１Ｐには電源コネクタ１Ｑが接続されている。
【００２３】
ＲＯＭソケット１Ｇには、内蔵型のＲＯＭ１Ｃと異なるＲＯＭ１Ｇａが装着可能であり、このＲＯＭ１Ｇａに記憶されているプログラムやデータをＲＯＭ１ＣやＥＥＰＲＯＭ２Ｂに取込むことが可能であるとともに、ＥＥＰＲＯＭ２Ｂ、ＲＡＭ１ＢやＲＯＭ１Ｃに記憶されているプログラムやデータをＲＯＭ１Ｇａに格納することも可能である。
【００２４】
ＩＣカードコネクタ１Ｈには、図３に示すように、ＩＣメモリカードソケット４Ａを搭載したＩＣカードアダプタ４が着脱可能に取付けられ、このＩＣカードアダプタ４にＩＣメモリカード４Ｂを挿入可能である。このＩＣメモリカード４Ｂに記憶されているプログラムやデータをＲＯＭ１ＣやＥＥＰＲＯＭ２Ｂに取込むことが可能であるとともに、ＥＥＰＲＯＭ２Ｂ、ＲＡＭ１ＢやＲＯＭ１Ｃに記憶されているプログラムやデータをＩＣメモリカード４Ｂに格納することも可能である。
【００２５】
上述したスイッチ群１Ｍは、図２に示すように、ＲＯＭソケット１Ｇの少なくとも１つに搭載されるＲＯＭ１Ｇａに記憶されたプログラムやデータ、ＩＣメモリカード４Ｂに記憶されたプログラムやデータ、あるいはフロッピディスク３Ａに記憶されたプログラムやデータをＥＥＰＲＯＭ２Ｂに取込む信号を選択的に出力する書込み釦１Ｍ２と、書換え元のプログラムやデータと書換えられたプログラムやデータとが同一かどうかを検証するベリファイ信号を出力するベリファイ釦１Ｍ３と、プログラムやデータの複写を２個のＩＣカードコネクタ１Ｈにそれぞれ接続されたＩＣメモリカード４Ｂの相互間で行なうとともに、パーソナルコンピュータ３とＩＣメモリカード４Ｂとの間、３個のＲＯＭソケット１Ｇの少なくとも１つに搭載されたＲＯＭ１ＧａとＩＣメモリカード４Ｂとの間、３個のＲＯＭソケット１Ｇにそれぞれ搭載されたＲＯＭ１Ｇａの相互間で行なう複写信号を出力するコピー釦１Ｍ４と、これらの釦１Ｍ２〜１Ｍ４で選択された動作を有効にする選択釦１Ｍ１と、この選択釦１Ｍ１で有効になった機能を起動させるスタート釦１Ｍ５とから構成されている。
【００２６】
上述した他のスイッチ群１Ｎは、８個のディップスイッチ１Ｎ１〜１Ｎ８からなり、これらのディップスイッチ１Ｎ１〜１Ｎ８を所定の組み合わせで操作することにより、ＲＯＭ１Ｇａ、フロッピディスク３ＡおよびＩＣメモリカード４Ｂなどのデータ読出しやデータ書込みの可否を設定することができる。
【００２７】
上記のスイッチ群１Ｍ、１Ｎの操作に応じてＬＥＤ１Ｌにより所定の表示が行なわれるので、作業者はこの表示内容を確認することにより、スイッチ群１Ｍ、１Ｎの誤操作や誤動作を知ることができる。例えば、データ書換え装置１の電源を投入し、書込み釦１Ｍ２およびベリファイ釦１Ｍ３を押圧した後、選択釦１Ｍ１を押圧すると、ＬＥＤ１Ｌにより書換え元、複写先の所定のアドレスに記憶されているプログラム型式やプログラムバージョンを所定時間、例えば５秒間表示するようになっている。
【００２８】
上述したブザーＢは、データ書換え装置１が動作中であるか正常終了および異常終了したかに応じて、あらかじめ定められる複数の種類の鳴動音を発し、この鳴動音をディップスイッチ１Ｎ１〜１Ｎ８を所定の組み合わせで操作することにより消すことができる。
【００２９】
この実施形態では、図４および図５に示す処理手順にしたがってＥＥＰＲＯＭ２Ｂのデータ書換えを行なうようになっている。すなわち、まず図４の手順Ｓ１として、作業者は異常検出装置２の接続コネクタ２Ｃとデータ書換え装置１の接続コネクタ１Ｐを図示しないケーブルを介して接続し、手順Ｓ２として、書換え用データが記憶されるＲＯＭ１ＧａをＲＯＭソケット１Ｇに装着した後、手順Ｓ３として異常検出装置２の電源５を投入（ＯＮ）する。これにより、電源５より接続コネクタ２Ｃ−図示しないケーブル−接続コネクタ１Ｐを介してデータ書換え装置１に電力が供給される。
【００３０】
次いで、図５の手順Ｓ４として、ディップスイッチ１Ｎ１の投入（ＯＮ）によりＲＯＭ１ＧａからＥＥＰＲＯＭ２Ｂへのデータ書込みを選択するとともに、他のディップスイッチ１Ｎ８の釈放（ＯＦＦ）により前記のＲＯＭ１Ｇａへのデータ書込みの阻止を選択し、ＬＥＤ１Ｌの表示を見ながら書込み釦１Ｍ２を所定回数押圧することによりＲＯＭ１ＧａからＥＥＰＲＯＭ２Ｂへのデータ書込みモードを選択した後、手順Ｓ５として、選択釦１Ｍ１の押圧により前記の選択されたデータ書込みモードを有効にする。これに伴い、手順Ｓ６として、ＭＰＵ１ＡはＲＯＭ１Ｇａのプログラム型式およびプログラムバージョンが記憶されているアドレスを読込み、ＬＥＤ１Ｌにより、まずプログラム型式を例えば５秒間表示させた後、プログラムバージョンを例えば５秒間表示させる。
【００３１】
このとき、作業者はＲＯＭ１Ｇａに記憶される書換え用データのプログラム型式およびプログラムバージョンが作業指示の対象のものと合致するかどうかを確認し、作業指示の対象のものと合致しない場合、データ書換え作業を中止する。一方、作業指示の対象のものと合致した場合、手順Ｓ７としてスタート釦１Ｍ５を押圧すると、手順Ｓ８として、ＭＰＵ１Ａは、ＥＥＰＲＯＭ２Ｂに記憶されているデータを読出し、手順Ｓ９として、前記の読出したデータをＲＡＭ１Ｂに記憶させた後、手順Ｓ１０として、ＲＯＭ１Ｇａに記憶された書換え用データをＥＥＰＲＯＭ２Ｂに順次書込み、手順Ｓ１１として、書込み元であるＲＯＭ１Ｇａの書換え用データとＥＥＰＲＯＭ２Ｂに書込まれたデータとの検証を行なう。
【００３２】
その結果、ＥＥＰＲＯＭ２Ｂに正しいデータが書込まれた場合、手順Ｓ１２として、ＭＰＵ１Ａは、ＬＥＤ１Ｌにより正常終了を示す旨の文字、例えば「ＥＮＤ」を表示する。この表示を作業者が確認した後、異常検出装置２の電源５を遮断し、この異常検出装置２からデータ書換え装置１を取外して作業を終了する。
【００３３】
一方、前記の手順Ｓ１１でＲＯＭ１Ｇａの書換え用データとＥＥＰＲＯＭ２Ｂに書込まれたデータとが合致せず、すなわちＥＥＰＲＯＭ２Ｂへのデータ書換えが正常に行なわれなかったとき、ＭＰＵ１Ａは、ＬＥＤ１Ｌにより異常を示す旨の文字、例えば「Ｅｒ」を表示する。この表示を作業者が確認した後、手順Ｓ１３として、ＬＥＤ１Ｌの表示を見ながら書込み釦１Ｍ２を所定回数押圧することによりＲＡＭ１ＢからＥＥＰＲＯＭ２Ｂへのデータ書込みモードを選択し、選択釦１Ｍ１の押圧により前記の選択されたデータ書込みモードを有効にするとともにスタート釦１Ｍ５を押圧する。これに伴って、手順Ｓ１０として、ＭＰＵ１Ａは、ＲＡＭ１Ｂに記憶されているＥＥＰＲＯＭ２Ｂの書込み前のデータを読出して再びＥＥＰＲＯＭ２Ｂに書込むことによりデータ修復を行なうため、異常検出装置２は従来のデータで動作可能となる。
【００３４】
また、データ複写作業を行なう際には、スイッチ群１Ｎの組合せの投入操作およびコピー釦１Ｍ４の押圧操作により、複写元および複写先をＲＯＭ１Ｇａ、フロッピディスク３ＡおよびＩＣメモリカード４Ｂのなかから選択した後、選択釦１Ｍ１とスタート釦１Ｍ５の押圧操作によりデータ複写が可能となり、上記のＥＥＰＲＯＭ２Ｂのデータ書換えと基本的には同様であるので、データ複写の詳しい説明を省略する。
【００３５】
このように構成した実施形態では、書換え用データが記憶された書換え元として、ＲＯＭ１Ｇａ、フロッピディスク３ＡおよびＩＣメモリカード４Ｂのうちから選択することにより、当該書換え作業を行なう作業者の使い易いものや空いているものを用いることができるとともに、間違ったデータをＥＥＰＲＯＭ２Ｂに書込むことを防止できるため、異常検出装置２の据付現場でデータ書換えを行なう際の作業性を向上できる。
【００３６】
また本実施形態では、万一、間違ったデータをＥＥＰＲＯＭ２Ｂに書込んだ場合、このデータ書換えを行なう前に格納したデータをＲＡＭ１Ｂ、ＩＣメモリカード４Ｂおよびパーソナルコンピュータ３のいずれかから読出すことにより、ＥＥＰＲＯＭ２Ｂのデータ修復を短時間で行なうことができる。
【００３７】
また本実施形態では、書換え用マスタデータの複写が容易にかつ確実に数多く作成できるので、効率の良い作業計画の立案が可能となり、ＥＥＰＲＯＭ２Ｂのデータ書換え作業計画を短期間で行なうことができる。
【００３８】
なお、本実施形態にあっては、手順Ｓ１１で書換え元のデータと書換えられたデータとの比較検証を行なうようにしたが、ベリファイ釦１Ｍ３の押圧操作によっても同様の効果が得られる。
【００３９】
さらに、本実施形態にあっては、ＭＰＵ１Ａによって、ＥＥＰＲＯＭ２Ｂを書換える際の制御を行なう書換え制御手段と、データ書換えを実行する前に、ＥＥＰＲＯＭ２Ｂ内の全記憶データをＲＡＭ１Ｇａ、ＩＣメモリカード４Ｂおよびパーソナルコンピュータ３の少なくとも一つに格納するデータ保護手段と、ＲＯＭ１Ｇａ、ＩＣメモリカード４Ｂおよびパーソナルコンピュータ３のいずれかに記憶された書換え用データを複写する際の制御を行なう複写制御手段とが構成されている。また、書込み釦１Ｍ２およびスイッチ群１Ｎによって、書換用データが記憶された書換え元としてＲＯＭ１Ｇａ、ＩＣメモリカード４Ｂおよびパーソナルコンピュータ３のいずれかから選択する書換え元選択手段が構成され、コピー釦１Ｍ４およびスイッチ群１Ｎによって、複写先としてＲＯＭ１Ｇａ、ＩＣメモリカード４Ｂおよびパーソナルコンピュータ３のいずれかから選択する複写先選択手段が構成されている。また、ベリファイ釦１Ｍ３によって、書換えの正誤を確認する確認信号を出力する書換え操作手段と、複写の正誤を確認する確認信号を出力する複写操作手段とが構成されている。また、ＬＥＤ１Ｌによって、書換用データの所定アドレス、ＭＰＵ１Ａの作動状況、および書換え時と複写時のエラーコードを表示する表示装置が構成されている。
【００４０】
さらに、本実施形態にあっては、読出し専用メモリがＥＥＰＲＯＭ２Ｂからなる場合を例示したが、ＥＥＰＲＯＭ２Ｂの代わりにフラッシュＲＯＭからなる場合も同様である。
【００４１】
さらに、本実施形態にあっては、ＲＯＭ１ＧａからＥＥＰＲＯＭ２Ｂへのデータ書込みを行なう場合を例示したが、ＲＯＭ１Ｇａの代わりに、パーソナルコンピュータ３あるいはＩＣメモリカード４ＢからＥＥＰＲＯＭ２Ｂへのデータ書込みを行なう場合も同様である。
【００４２】
【発明の効果】
以上のように構成したので、本発明の請求項１に係る発明は、書換え用データが記憶された書換え元としてＲＯＭ、パーソナルコンピュータおよびＩＣメモリカードのうちから選択することにより、当該書換え作業を行なう作業者の使い易いものや空いているものを用いることができ、したがって、読出し専用メモリを備えた端末装置の据付現場でデータ書換えを行なう際の作業性を向上できる。
【００４３】
また、万一、間違ったデータを読出し専用メモリに書込んだ場合、読出し専用メモリのデータ書換えを行なう前に格納したデータをＲＡＭ、ＩＣメモリカードおよびパーソナルコンピュータのいずれかから読出すことにより、読出し専用メモリのデータ修復を短時間で行なうことができ、したがって、読出し専用メモリを備えた端末装置が長時間休止する事態を避けることができる。
【図面の簡単な説明】
【図１】本発明の一実施形態に係る読出し専用メモリのデータ書換え装置を示すブロック図である。
【図２】本実施形態のデータ書換え装置の正面図である。
【図３】本実施形態のデータ書換え装置に備えられるＩＣカードアダプタの説明図である。
【図４】本実施形態のデータ書換え装置の処理手順の一部を示すフローチャートである。
【図５】本実施形態のデータ書換え装置の処理手順の残り部分を示すフローチャートである。
【符号の説明】
１  データ書換え装置
１Ａ  ＭＰＵ
１Ｂ  ＲＡＭ
１Ｇ  ＲＯＭソケット
１Ｇａ  ＲＯＭ
１Ｈ  ＩＣカードコネクタ
１Ｉ、１Ｊ  バスライン
１Ｋ  通信コネクタ
１Ｌ  ＬＥＤ（表示装置）
１Ｐ  接続コネクタ
２  異常検出装置（端末装置）
２Ｂ  ＥＥＰＲＯＭ（読出し専用メモリ）
３  パーソナルコンピュータ
３Ａ  フロッピディスク
４  ＩＣカードアダプタ
４Ｂ  ＩＣメモリカード
【図１】
0003570842.tif 000002
【図２】
0003570842.tif 000003
【図３】
0003570842.tif 000004
【図４】
0003570842.tif 000005
【図５】
0003570842.tif 000006